(57)【要約】  【課題】従来の冷凍冷蔵庫の霜取り制御装置では、冷却システムの劣化や冷媒漏れ等により冷却器の霜が付かなかった時でも、正常な冷却サイクルの時と同じ霜取り制御を行ってしまうので、冷蔵庫庫内が霜取り制御により温度上昇し食品に悪影響を与えるという課題を有していた。  【解決手段】霜取りヒータの通電時間カウンタ１４と、通電時間判定手段１７、温度判定手段の第１温度設定１８を備え、霜取り制御中の霜取りヒータ通電時間が設定時間（例えば１０分）以下であれば、次の霜取り制御の温度判定手段の設定温度を下げる（例えば５℃）制御とすることにより冷蔵庫庫内の温度上昇を抑え食品に悪影響を与えない制御にすることができる。【選択図】図１
2007017069.tif 000002
【特許請求の範囲】
【請求項１】
コンプレッサを運転するコンプレッサ運転手段と、前記コンプレッサの動作時間を積算する運転タイマと、前記運転タイマの積算時間を設定時間以上であるかを判定するコンプレッサ動作時間判定手段と、霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する通電時間判定手段を備え、前記コンプレッサ動作時間判定手段が前記運転タイマの積算時間が設定時間に到達しているかどうかを判定し、到達していれば前記コンプレッサを停止し冷却サイクルが終了し、霜取り制御に入り前記霜取りヒータ駆動手段が霜取りヒータを通電するとともに前記温度判定手段が前記冷却器温度検知手段の温度が設定温度以上になれば前記霜取りヒータが停止し霜取り制御が終了し、前記通電時間判定手段で前記霜取りヒータの通電時間をカウントする前記通電時間カウンタの時間が設定時間以下であれば、次回の温度判定手段の判定温度を下げる冷蔵庫の霜取り制御装置。
【請求項２】
第１ドア開閉検知手段とドア開閉判定手段を備え、霜取り制御前のコンプレッサ運転中にドア開閉があれば、前記温度判定手段の判定温度を下げる制御とした請求項１に記載の冷蔵庫の霜取り制御装置。
【請求項３】
外気温度検知手段と外気温度判定手段を備え、霜取り制御後の外気温度が所定温度以上であれば、前記温度判定手段の判定温度を下げる制御とした請求項１に記載の冷蔵庫の霜取り制御装置。
【請求項４】
第２ドア開閉検知手段とドア開閉時間判定手段を備え、霜取り制御前のコンプレッサ運転中のドア開閉時間が長ければ、前記温度判定手段の判定温度を下げる制御とした請求項１に記載の冷蔵庫の霜取り制御装置。
【請求項５】
霜取り短時間カウンタと霜取り短時間カウンタ判定手段を備え、霜取り制御が連続して短時間で終了すれば、前記温度判定手段の判定温度を下げる制御とした請求項１に記載の冷蔵庫の霜取り制御装置。
【発明の詳細な説明】
【技術分野】
【０００１】
本発明は冷蔵庫の霜取り制御に関するものである。
【背景技術】
【０００２】
従来、冷蔵庫の霜取り制御は、コンプレッサと冷却器により各室を冷却し、コンプレッサの運転が停止した後に霜取りヒータが通電し冷却器に付着した霜を取り除くものである（例えば、特許文献１参照）。
【０００３】
以下、図面を参照しながら上記従来の冷蔵庫の霜取り制御を説明する。
【０００４】
図１１は、従来の冷蔵庫の霜取り制御装置のブロック図である。図１２は、従来の冷蔵庫の霜取り制御装置のフローチャートである。
【０００５】
図１１に示すように、冷蔵庫本体１にある冷凍室２は、断熱壁３と冷凍室ドア４で区画形成されている。冷凍室ドア４は、ヒンジ５により冷蔵庫本体１に固定されている。６はコンプレッサで７は冷却器である。８は霜取りヒータで９は冷却器７の温度を感知する冷却器温度検知器である。１０はコンプレッサ６を駆動するコンプレッサ運転手段であり、１１は前記コンプレッサの運転時間を積算する運転タイマである。１２はコンプレッサ動作時間判定手段であり、運転タイマ１１の時間が設定時間（例えば８時間）になればタイムアップする。１３は霜取りヒータ８を駆動する霜取りヒータ駆動手段であり、１４は冷却器温度検知器９で感知した温度を検知する冷却器温度検知手段である。１５は冷却器温度検知手段１４で検知した温度が設定温度（例えば１０℃）以上かどうかを判定する温度判定手段から構成されている。
【０００６】
以上のように構成された冷蔵庫の霜取り制御装置について、以下その動作を説明する。
【０００７】
まず、ステップ１でコンプレッサ運転手段１０がコンプレッサ６を駆動し、ステップ２で運転タイマ１１がスタートする。次に、ステップ３でコンプレッサ動作時間判定手段１２が運転タイマ１１のタイムアップ（例えば８時間）を判断し、タイムアップすればステップ４に進む。ステップ４でコンプレッサ６が停止となり冷却サイクルが終了する。ステップ５で霜取りヒータ駆動手段１３が霜取りヒータ８を通電し霜取り制御に入る。次に、ステップ６では冷却器温度検知手段１４の検知した温度が設定温度（例えば１０℃）以上になれば、ステップ７に進み霜取りヒータ８の通電をストップし、ステップ１に戻る。冷蔵庫はこの冷凍サイクルと霜取り制御を繰り返し行っている。
【特許文献１】特公平２−５３７０７号公報
【発明の開示】
【発明が解決しようとする課題】
【０００８】
しかしながら、上記従来の構成では、冷却システムの劣化や冷媒漏れ等により冷却器の霜が付かなかった時でも、正常な冷却サイクルの時と同じ霜取り制御を行ってしまうので、冷蔵庫庫内が霜取り制御により温度上昇し食品に悪影響を与えるという課題を有していた。
【０００９】
本発明は上記従来の課題を解決するもので、冷却システムの劣化や冷媒漏れ等により冷却器の霜が付かなかった時には、霜取り制御の温度判定手段の設定温度を下げ冷蔵庫庫内の温度上昇を抑え食品に悪影響を与えない冷蔵庫を提供することを目的とする。
【課題を解決するための手段】
【００１０】
上記従来の課題を解決するために、本発明の冷蔵庫の霜取り制御装置は、霜取り制御時間が短時間（例えば１０分）以下で終了すれば冷却器に付いた霜が極端に少ないと判断し、次の霜取り制御の温度判定手段の設定温度を下げる（例えば５℃）制御としたものである。
【００１１】
これによって、冷却システムの劣化や冷媒漏れ等により冷却器の霜が付かなかった時には、霜取り制御の温度判定手段の設定温度を下げるので冷蔵庫庫内の温度上昇を抑え食品に悪影響を与えない冷蔵庫を提供することとなる。
【発明の効果】
【００１２】
本発明の冷蔵庫の霜取り制御装置は、霜取り制御時間が短時間（例えば１０分）以下で終了すれば、冷却システムの劣化や冷媒の漏れ等が発生して前記冷却器に付いた霜が極端に少ないと判断し、次の霜取り制御の温度判定手段の設定温度を下げ冷蔵庫庫内の温度上昇を抑え食品に悪影響を与えない制御にすることができる。
【発明を実施するための最良の形態】
【００１３】
請求項１に記載の発明は、コンプレッサを運転するコンプレッサ運転手段と、前記コンプレッサの動作時間を積算する運転タイマと、前記運転タイマの積算時間を設定時間以上であるかを判定するコンプレッサ動作時間判定手段と、霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する通電時間判定手段を備え、前記コンプレッサ動作時間判定手段が前記運転タイマの積算時間が設定時間に到達しているかどうかを判定し、到達していれば前記コンプレッサを停止し冷却サイクルが終了し、霜取り制御に入り前記霜取りヒータ駆動手段が霜取りヒータを通電するとともに前記温度判定手段が前記冷却器温度検知手段の温度が設定温度以上になれば前記霜取りヒータが停止し霜取り制御が終了し、前記通電時間判定手段で前記霜取りヒータの通電時間をカウントする前記通電時間カウンタの時間が設定時間以下であれば、次回の温度判定手段の判定温度を下げるものであり、冷蔵庫庫内の温度上昇を抑え食品に悪影響を与えない制御にすることができる。
【００１４】
請求項２に記載の発明は、請求項１に記載の発明において、第１ドア開閉検知手段とドア開閉判定手段を備え、霜取り制御前のコンプレッサ運転中にドア開閉があれば、前記温度判定手段の判定温度を下げる制御としたものであり、ドア開閉でも冷却器への霜の付着がないことから冷却システムの劣化や冷媒の漏れ等の度合いを正確に判断できるので冷蔵庫庫内の温度上昇を抑え食品に悪影響を与えない制御にすることができる。
【００１５】
請求項３に記載の発明は、請求項１に記載の発明において、外気温度検知手段と外気温度判定手段を備え、霜取り制御後の外気温度が所定温度以上であれば、前記温度判定手段の判定温度を下げる制御としたものであり、高い外気温度でも冷却器への霜の付着がないことから冷却システムの劣化や冷媒の漏れ等の度合いを正確に判断できるので冷蔵庫庫内の温度上昇を抑え食品に悪影響を与えない制御にすることができる。
【００１６】
請求項４に記載の発明は、請求項１に記載の発明において、第２ドア開閉検知手段とドア開閉時間判定手段を備え、霜取り制御前のコンプレッサ運転中のドア開閉時間が長ければ、前記温度判定手段の判定温度を下げる制御としたものであり、ドア開放でも冷却器への霜の付着がないことから冷却システムの劣化や冷媒の漏れ等の度合いを正確に判断できるので冷蔵庫庫内の温度上昇を抑え食品に悪影響を与えない制御にすることができる。
【００１７】
請求項５に記載の発明は、請求項１に記載の発明において、霜取り短時間カウンタと霜取り短時間カウンタ判定手段を備え、霜取り制御が連続して短時間で終了すれば、前記温度判定手段の判定温度を下げる制御としたものであり、２回の冷凍サイクル後でも冷却器への霜の付着がないことから冷却システムの劣化や冷媒の漏れ等の度合いを正確に判断できるので冷蔵庫庫内の温度上昇を抑え食品に悪影響を与えない制御にすることができる。
【００１８】
以下冷蔵庫の実施の形態について、図面を参照しながら説明するが、従来例または先に説明した実施の形態と同一構成について同一符号を付して、その詳細な説明は省略する。なお、この実施の形態によってこの発明が限定されるものではない。
【００１９】
（実施の形態１）
図１は、本発明の実施の形態１における冷蔵庫の霜取り制御装置のブロック図である。図２は、本発明の実施の形態１における冷蔵庫の霜取り制御装置のフローチャートである。
【００２０】
図１において、通電時間カウンタ１６は霜取りヒータの通電時間をカウントするものであり、通電時間判定手段１７は通電時間カウンタ１６が設定時間以上（例えば１０分）であるかを判定するものであり、温度判定手段の第１温度設定１８は温度判定手段１５の温度設定を低くする（例えば５℃）ものである。
【００２１】
以上にように構成された冷蔵庫の霜取り制御装置について、以下その動作、作用を図２で説明する。まず、ステップ１からステップ５まで従来通りである。つぎに、ステップ１０１で霜取りヒータ通電時間カウンタ１６がスタートしステップ６に進む。ステップ６とステップ７は従来通りで、次のステップ１０２では通電時間判定手段１７が通電時間カウンタ１６が設定時間以上（例えば１０分）であるかを判定し、設定時間以下であればステップ１０３に進み、温度判定手段１５の設定温度を下げて（例えば５℃）ステップ１に戻る。設定時間以上であればステップ１０４に進み温度判定手段１５の設定温度を維持し（例えば１０℃）ステップ１に戻る。
【００２２】
以上のように、本実施の形態においては、霜取り制御時間が短時間（例えば１０分）以下で終了すれば、冷却システムの劣化や冷媒の漏れ等が発生して冷却器に付いた霜が極端に少ないと判断し、次の霜取り制御の温度判定手段の設定温度を下げる（例えば５℃）制御とすることにより、冷蔵庫庫内の温度上昇を抑え食品に悪影響を与えない制御にすることができる。
【００２３】
（実施の形態２）
図３は、本発明の実施の形態２における冷蔵庫の霜取り制御装置のブロック図である。図４は、本発明の実施の形態２における冷蔵庫の霜取り制御装置のフローチャートである。
【００２４】
図３において、ドア開閉検知器１９は冷凍室ドア４のドア開閉を感知するものであり、第１ドア開閉検知手段２０はドア開閉検知器１９が感知したドア開閉をカウントするものであり、ドア開閉判定手段２１はドア開閉があったかどうかを判定するものであり、温度判定手段の第２温度設定２２は温度判定手段１５の温度設定を低くする（例えば０℃）ものである。
【００２５】
以上にように構成された冷蔵庫の霜取り制御装置について、以下その動作、作用を図４で説明する。
【００２６】
まず、ステップ１とステップ２は従来通りである。次に、ステップ２０１で前記冷凍室ドア開閉検知手段でドア開閉をカウントしステップ３に進む。ステップ３からステップ７までは実施の形態１の通りで、次のステップ１０２で通電時間判定手段１７が通電時間カウンタ１６が設定時間以上（例えば１０分）であるかを判定し、設定時間以下であればステップ２０２に進み、設定時間以上であればステップ１０４に進み温度判定手段１５の設定温度を維持し（例えば１０℃）ステップ１に戻る。ステップ２０２ではドア開閉判定手段２１がドア開閉があったかどうかを判定し、開閉がなければステップ１０３に進み温度判定手段１５の設定温度を下げて（例えば５℃）ステップ１に戻る。開閉があればステップ２０３に進み、温度判定手段１５の設定温度をさらに下げて（例えば０℃）ステップ１に戻り以降は実施の形態１通りである。
【００２７】
以上のように、本実施の形態においては、霜取り制御前のコンプ運転中にドア開閉があっても霜取り制御時間が短ければ温度判定手段の設定温度をさらに低く設定する（例えば０℃）ことにより、ドア開閉でも冷却器への霜の付着がないことから冷却システムの劣化や冷媒の漏れ等の度合いを正確に判断し冷蔵庫庫内の温度上昇を抑え食品に悪影響を与えない制御にすることができる。
【００２８】
（実施の形態３）
図５は、本発明の実施の形態３における冷蔵庫の霜取り制御装置のブロック図である。図６は、本発明の実施の形態３における冷蔵庫の霜取り制御装置のフローチャートである。
【００２９】
図５において、外気温度検知器２３は冷蔵庫１の天面にあり外気温度を感知するものであり、外気温度検知手段２４は外気温度検知器２３が感知した温度を検知するものであり、外気温度判定手段２５は、外気温度検知手段２４の温度が設定温度（例えば２５℃）以上かどうか判定するものである。
【００３０】
以上にように構成された冷蔵庫の霜取り制御装置について、以下その動作、作用を図６で説明する。
【００３１】
まず、ステップ１からからステップ７までは実施の形態１の通りで、次のステップ１０２で通電時間判定手段１７が通電時間カウンタ１６が設定時間以上（例えば１０分）であるかを判定し、設定時間以下であればステップ３０１に進み、設定時間以上であればステップ１０４に進み温度判定手段１５の設定温度を維持し（例えば１０℃）ステップ１に戻る。ステップ３０１では外気温度判定手段２５で外気温度が設定温度（例えば２５℃）以上かどうかを判定し、設定温度より低ければステップ１０３に進み温度判定手段１５の設定温度を下げて（例えば５℃）ステップ１に戻る。設定温度以上であればステップ２０３に進み、温度判定手段１５の設定温度をさらに下げて（例えば０℃）ステップ１に戻り以降は実施の形態１通りである。
【００３２】
以上のように、本実施の形態においては、高い外気温度であっても霜取り制御時間が短ければ温度判定手段の設定温度をさらに低く設定する（例えば０℃）ことにより、高い外気温度でも冷却器への霜の付着がないことから冷却システムの劣化や冷媒の漏れ等の度合いを正確に判断し冷蔵庫庫内の温度上昇を抑え食品に悪影響を与えない制御にすることができる。
【００３３】
（実施の形態４）
図７は、本発明の実施の形態４における冷蔵庫の霜取り制御装置のブロック図である。図８は、本発明の実施の形態４における冷蔵庫の霜取り制御装置のフローチャートである。
【００３４】
図７において、第２ドア開閉検知手段２６はドア開閉検知器１９が感知したドア開閉を検知すると共にドア開放時間もカウントするものであり、ドア開閉時間判定手段２７は第２ドア開閉検知手段がカウントしたドア開放時間が設定時間（例えば２時間）以上かどうかを判定するものである。
【００３５】
以上にように構成された冷蔵庫の霜取り制御装置について、以下その動作、作用を図８で説明する。
【００３６】
まず、ステップ１からステップ１０２まで実施の形態１の通りである。ステップ４０１で第２ドア開閉検知手段２６がドア開放時間をカウントしステップ３に進む。ステップ３からステップ７までは実施の形態１の通りで、次のステップ１０２で通電時間判定手段１７が通電時間カウンタ１６が設定時間以上（例えば１０分）であるかを判定し、設定時間以下であればステップ４０２に進み、設定時間以上であればステップ１０４に進み温度判定手段１５の設定温度を維持し（例えば１０℃）ステップ１に戻る。ステップ４０２で第２ドア開閉時間判定手段２７でドア開放時間が設定時間（例えば２時間）以上かどうかを判定し、設定時間より短ければステップ１０３に進み温度判定手段１５の設定温度を下げて（例えば５℃）ステップ１に戻る。設定時間以上であればステップ２０３に進み、温度判定手段１５の設定温度をさらに下げて（例えば０℃）ステップ１に戻り以降は実施の形態１通りである。
【００３７】
以上のように、本実施の形態においては、霜取り制御前のコンプ運転中にドア開放が設定時間より長く霜取り制御時間が短ければ温度判定手段の設定温度をさらに低く設定する（例えば０℃）ことにより、ドア開放でも冷却器への霜の付着がないことから冷却システムの劣化や冷媒の漏れ等の度合いを正確に判断し冷蔵庫庫内の温度上昇を抑え食品に悪影響を与えない制御にすることができる。
【００３８】
（実施の形態５）
図９は、本発明の実施の形態５における冷蔵庫の霜取り制御装置のブロック図である。図１０は、本発明の実施の形態５における冷蔵庫の霜取り制御装置のフローチャートである。
【００３９】
図９において、霜取り短時間カウンタ２８は通電時間カウンタ１６の霜取りヒータの通電時間が短ければカウントするものであり、霜取り短時間カウンタ判定手段２９は、霜取り短時間カウンタ２８のカウントが設定回数（例えば２回）以上かどうか判定するものである。
【００４０】
以上にように構成された冷蔵庫の霜取り制御装置について、以下その動作、作用を図１０で説明する。まず、ステップ１からからステップ７までは実施の形態１の通りで、次のステップ１０２で通電時間判定手段１７が通電時間カウンタ１６が設定時間以上（例えば１０分）であるかを判定し、設定時間以下であればステップ５０１に進み、設定時間以上であればステップ１０４に進み温度判定手段１５の設定温度を維持し（例えば１０℃）、次のステップ５０２で霜取り短時間カウンタ２８のカウントをリセットしステップ１に戻る。ステップ５０１で霜取り短時間カウンタ２８がカウントしステップ５０３に進む。ステップ５０３では、霜取り短時間カウンタ判定手段２９が霜取り短時間カウンタ２８のカウントが設定回数（例えば２回）以上かどうかを判定し、設定回数より低ければステップ１０３に進み温度判定手段１５の設定温度を下げて（例えば５℃）ステップ１に戻る。設定温度以上であればステップ２０３に進み、温度判定手段１５の設定温度をさらに下げて（例えば０℃）ステップ１に戻り以降は実施の形態１通りである。
【００４１】
以上のように、本実施の形態においては、霜取り制御が連続して短時間で終了（例えば２回以上）すれば温度判定手段の設定温度をさらに低く設定する（例えば０℃）ことにより、２回の冷凍サイクル後でも冷却器への霜の付着がないことから冷却システムの劣化や冷媒の漏れ等の度合いを正確に判断できるので冷蔵庫庫内の温度上昇を抑え食品に悪影響を与えない制御にすることができる。
【産業上の利用可能性】
【００４２】
以上のように、本発明にかかる冷蔵庫の霜取り制御装置は、霜取り制御時間が所定時間以下で終了すれば、冷却システムの劣化や冷媒の漏れ等が発生して前記冷却器に付いた霜が極端に少ないと判断し、次の霜取り制御の温度判定手段の設定温度を下げ冷蔵庫庫内の温度上昇を抑え食品に悪影響を与えないようにすることができるので、冷蔵庫に限らず他の冷却機器の除霜制御に応用できる。
【図面の簡単な説明】
【００４３】
【図１】本発明の実施の形態１における冷蔵庫の霜取り制御装置のブロック図
【図２】本発明の実施の形態１における冷蔵庫の霜取り制御装置のフローチャート
【図３】本発明の実施の形態２における冷蔵庫の霜取り制御装置のブロック図
【図４】本発明の実施の形態２における冷蔵庫の霜取り制御装置のフローチャート
【図５】本発明の実施の形態３における冷蔵庫の霜取り制御装置のブロック図
【図６】本発明の実施の形態３における冷蔵庫の霜取り制御装置のフローチャート
【図７】本発明の実施の形態４における冷蔵庫の霜取り制御装置のブロック図
【図８】本発明の実施の形態４における冷蔵庫の霜取り制御装置のフローチャート
【図９】本発明の実施の形態５における冷蔵庫の霜取り制御装置のブロック図
【図１０】本発明の実施の形態５における冷蔵庫の霜取り制御装置のフローチャート
【図１１】従来の冷蔵庫の霜取り制御装置のブロック図
【図１２】従来の冷蔵庫の霜取り制御装置のフローチャート
【符号の説明】
【００４４】
６    コンプレッサ
８    霜取りヒータ
９    冷却器温度検知器
１０  コンプレッサ運転手段
１１  運転タイマ
１２  コンプレッサ動作時間判定手段
１３  霜取りヒータ駆動手段
１４  冷却器温度検知手段
１５  温度判定手段
１６  通電時間カウンタ
１７  通電時間判定手段
２０  第１ドア開閉検知手段
２１  ドア開閉判定手段
２４  外気温度検知手段
２５  外気温度判定手段
２６  第２ドア開閉検知手段
２７  ドア開閉時間判定手段
２８  霜取り短時間カウンタ
２９  霜取り短時間カウンタ判定手段
【図１】
2007017069.tif 000003
【図２】
2007017069.tif 000004
【図３】
2007017069.tif 000005
【図４】
2007017069.tif 000006
【図５】
2007017069.tif 000007
【図６】
2007017069.tif 000008
【図７】
2007017069.tif 000009
【図８】
2007017069.tif 000010
【図９】
2007017069.tif 000011
【図１０】
2007017069.tif 000012
【図１１】
2007017069.tif 000013
【図１２】
2007017069.tif 000014